(57)【要約】【課題】  通信環境やコンピュータ端末環境が変化する状況での映像再生の同期を改善し、映像コンテンツの同期のずれをモニタして、再生中の位置を合わせる作業を軽減する。【解決手段】  本発明は、複数のコンピュータ端末から端末環境や再生位置を取得し、端末同士を同期させるために、再生位置が異なれば合わせ、再生位置を合わせる前の再生位置が所定値以上離れていれば、コンテンツのサイズ（ビットレート）を変更することも合わせて行う。【選択図】  図１
2006245805.tif 000002
【特許請求の範囲】
【請求項１】
通信環境やコンピュータ端末環境が変化する状況でのその時々に最適なサイズの映像コンテンツを変更して利用する映像制御装置における映像制御方法において、
各ユーザのコンピュータ端末から通信環境、コンピュータ端末環境や映像の再生位置に関する情報を取得する環境情報取得ステップと、
各ユーザの環境に応じて、複数のサイズに変換した映像コンテンツが格納された映像コンテンツ記憶手段から最適な映像コンテンツを検索し、各ユーザのコンピュータ端末同士の映像コンテンツの再生位置が同期するように映像コンテンツの表示操作を一括して管理する表示操作ステップと、
を行うことを特徴とする映像制御方法。
【請求項２】
前記環境情報取得ステップにおいて、
前記各ユーザのコンピュータ端末から、ユーザの通信環境、コンピュータ端末環境や映像コンテンツの再生位置を取得し、前記環境情報記憶手段に格納し、所定の値以上の映像コンテンツ再生における同期のずれがあることを検出した場合に、
前記表示操作ステップにおいて、
映像コンテンツの同期のずれが所定の値以上大きくなるまでは、映像コンテンツはそのままで、映像再生中の位置を合わせ、所定の値以上の映像コンテンツ再生における同期のずれがある場合に、複数のコンピュータ端末同士の同期を合わせるために、再生映像コンテンツの映像再生中の位置を合わせる請求項１記載の映像制御方法。
【請求項３】
前記環境情報取得ステップにおいて、
前記各ユーザのコンピュータ端末から、ユーザの通信環境、コンピュータ端末環境や映像コンテンツの再生位置を取得し、前記環境情報記憶手段に格納し、該ユーザの通信環境、コンピュータ端末環境に大きな変化があり、映像コンテンツの同期のずれが所定の値以上になった場合に、
前記表示操作ステップにおいて、
映像の再生開始時または、再生中において、適切なサイズの映像コンテンツを前記映像コンテンツ記憶手段から選択し、該映像コンテンツの再生位置を同期させて再生する請求項１記載の映像制御方法。
【請求項４】
通信環境やコンピュータ端末環境が変化する状況でのその時々に最適なサイズの映像コンテンツを変更して利用する映像制御装置であって、
各ユーザのコンピュータ端末から通信環境、コンピュータ端末環境や映像の再生位置に関する情報を取得し、環境情報記憶手段に格納管理する環境情報取得手段と、
複数のサイズに変換した映像コンテンツが格納された映像コンテンツ記憶手段と、
前記環境情報取得手段から通知された各ユーザの環境に応じて、前記映像コンテンツ記憶手段から最適な映像コンテンツを検索し、各ユーザのコンピュータ端末同士の映像コンテンツの再生位置が同期するように、各コンピュータ端末に対して映像コンテンツの表示操作を一括して管理する行う表示操作手段と、
を有することを特徴とする映像制御装置。
【請求項５】
前記環境情報取得手段は、
前記各ユーザのコンピュータ端末から、ユーザの通信環境、コンピュータ端末環境や映像コンテンツの再生位置を取得し、前記環境情報記憶手段に格納し、所定の値以上の映像コンテンツ再生における同期のずれがあることを検出し、前記表示操作手段に通知する手段を含み、
前記表示操作手段は、
前記環境情報取得手段から所定の値以上の映像コンテンツ再生における同期のずれがあることが通知された場合には、複数のコンピュータ端末同士の同期を合わせるために、再生映像コンテンツの映像再生中の位置を合わせる手段を含む請求項４記載の映像制御装置。
【請求項６】
前記環境情報取得手段は、
前記各ユーザのコンピュータ端末から、ユーザの通信環境、コンピュータ端末環境や映像コンテンツの再生位置を取得し、前記環境情報記憶手段に格納し、該ユーザの通信環境、コンピュータ端末環境に大きな変化があり、映像コンテンツの同期のずれが所定の値以上になった場合に、前記表示操作手段に通知する手段を有し、
前記表示操作手段は、
前記環境情報取得手段から、ユーザの通信環境、コンピュータ端末環境に大きな変化があり、映像コンテンツの同期のずれが所定の値以上になったことが通知されると、映像の再生開始時または、再生中において、適切なサイズの映像コンテンツを前記映像コンテンツ記憶手段から検索し、再生する手段を有する請求項４記載の映像制御装置。
【請求項７】
通信環境やコンピュータ端末環境が変化する状況でのその時々に最適なサイズの映像コンテンツを変更して利用する映像制御プログラムを格納した記憶媒体であって、
前記請求項１乃至３記載の映像制御方法を実現するための処理をコンピュータに実行させるプログラムを格納したことを特徴とする映像制御プログラムを格納した記憶媒体。
【発明の詳細な説明】
【技術分野】
【０００１】
本発明は、映像制御方法及び装置及び映像制御プログラムを格納した記憶媒体に係り、特に、インターネット等のネットワークを用いて、遠隔多地点に分散した複数のユーザのコンピュータ端末から、ユーザ保有する映像コンテンツをサーバに登録し、遠隔多地点に分散した複数のユーザのコンピュータ端末間で、それらの映像コンテンツを共有するあるいは、共有して活用する、コミュニティ内映像共有方法及びコミュニティ内映像共有を行うコミュニティシステムにおいて、通信環境やコンピュータ端末環境が変化する状況でのその時々に最適なサイズの映像コンテンツを制御するための映像制御方法及び装置及び映像制御プログラムを格納した記憶媒体に関する。
【背景技術】
【０００２】
現在、インターネット等のネットワークを用いて、映像コンテンツを共有しよう、あるいは共有して活用しようという、場やそのための方法がある。例えば、個人のＷｅｂページや遠隔会議システムである。
【０００３】
それらの方法やシステムには、テレビ会議などの付帯設備として動画像を資料として用いて議論するための動画像再生システムにおいて、動画像デコーダのデコード遅延時間と回線バッファによる遅延時間を記憶しておき、クライアントでの動画像の再生開始時間を算出する方法やシステムがある。
【０００４】
インターネット等のネットワークを用いて、遠隔多地点に分散した複数のユーザのコンピュータ端末から、ユーザが保有する映像コンテンツをサーバに登録し、遠隔多地点に分散した複数のユーザのコンピュータ端末間で、それらの映像コンテンツを共有する、あるいは共有して活用することが考えられている。
【０００５】
このような場合、映像再生操作を全てのコンピュータ端末で同期するためには、様々な通信環境やコンピュータ端末が混在しているので、それらを考慮する必要がある。このような考えの技術として、テレビ会議などの付帯設備として動画像を資料として用いて議論するための動画像再生システムにおいて、動画像デコーダのデコード遅延時間と回線バッファによる遅延時間を記憶しておき、クライアントでの動画像の再生開始時間を算出する技術がある（例えば、特許文献１参照）。
【特許文献１】特開２００２−１５２６９９「動画像を同期して再生する方法及びそのシステム」
【発明の開示】
【発明が解決しようとする課題】
【０００６】
しかしながら、上記従来の技術では、遅延時間が想定されている事項にのみ起因し、更に、それらの遅延時間が常に固定であることが保証されている場合のみ有効である。そのため、サーバと各クライアント間を経由する複数の通信回線の通信状況や、サーバと各クライアントのＣＰＵ／メモリ使用状況等は刻々変化するので、映像の再生開始から終了までずっと長時間にわたった映像の同期を完全に実現できるわけではない。通常は、映像の再生中に、映像の同期が少しずつずれてしまう。
【０００７】
本発明は、上記の点に鑑みなされたもので、通信環境やコンピュータ端末環境が変化する状況での映像再生の同期を改善することが可能となり、また、映像コンテンツの同期のずれをモニタして、再生中の位置を合わせる作業を軽減することが可能な映像制御方法及び装置及び映像制御プログラムを格納した記憶媒体を提供することを目的とする。
【課題を解決するための手段】
【０００８】
図１は、本発明の原理を説明するための図である。
【０００９】
本発明（請求項１）は、通信環境やコンピュータ端末環境が変化する状況でのその時々に最適なサイズの映像コンテンツを変更して利用する映像制御装置における映像制御方法において、
各ユーザのコンピュータ端末から通信環境、コンピュータ端末環境や映像の再生位置に関する情報を取得する環境情報取得ステップ（ステップ１）と、
各ユーザの環境に応じて、複数のサイズに変換した映像コンテンツが格納された映像コンテンツ記憶手段から最適な映像コンテンツを検索し（ステップ２）、各ユーザのコンピュータ端末同士の映像コンテンツの再生位置が同期するように各コンピュータ端末に対して映像コンテンツの表示操作を一括して管理する表示操作ステップ（ステップ３）と、を行う。
【００１０】
また、本発明（請求項２）は、環境情報取得ステップ（ステップ１）において、
各ユーザのコンピュータ端末から、ユーザの通信環境、コンピュータ端末環境や映像コンテンツの再生位置を取得し、環境情報記憶手段に格納し、所定の値以上の映像コンテンツ再生における同期のずれがあることを検出した場合に、
表示操作ステップ（ステップ３）において、
映像コンテンツの同期のずれが所定の値以上大きくなるまでは、映像コンテンツはそのままで、映像再生中の位置を合わせ、所定の値以上の映像コンテンツ再生における同期のずれがある場合に、複数のコンピュータ端末同士の同期を合わせるために、再生映像コンテンツの映像再生中の位置を合わせる。
【００１１】
また、本発明（請求項３）は、環境情報取得ステップ（ステップ１）において、
各ユーザのコンピュータ端末から、ユーザの通信環境、コンピュータ端末環境や映像コンテンツの再生位置を取得し、環境情報記憶手段に格納し、該ユーザの通信環境、コンピュータ端末環境に大きな変化があり、映像コンテンツの同期のずれが所定の値以上になった場合に、
表示操作ステップ（ステップ２）において、
映像の再生開始時または、再生中において、適切なサイズの映像コンテンツを映像コンテンツ記憶手段から選択し、該映像コンテンツの再生位置を同期させて再生する。
【００１２】
図２は、本発明の原理構成図である。
【００１３】
本発明（請求項４）は、通信環境やコンピュータ端末環境が変化する状況でのその時々に最適なサイズの映像コンテンツを変更して利用する映像制御装置であって、
各ユーザのコンピュータ端末から通信環境、コンピュータ端末環境や映像の再生位置に関する情報を取得し、環境情報記憶手段１４０に格納管理する環境情報取得手段１２０と、
複数のサイズに変換した映像コンテンツが格納された映像コンテンツ記憶手段１５０と、
環境情報取得手段１２０から通知された各ユーザの環境に応じて、映像コンテンツ記憶手段１５０から最適な映像コンテンツを検索し、各ユーザのコンピュータ端末同士の映像コンテンツの再生位置が同期するように、各コンピュータ端末に対して映像コンテンツの表示操作を一括して管理する行う表示操作手段１３０と、を有する。
【００１４】
また、本発明（請求項５）は、環境情報取得手段１２０において、
各ユーザのコンピュータ端末から、ユーザの通信環境、コンピュータ端末環境や映像コンテンツの再生位置を取得し、環境情報記憶手段１４０に格納し、所定の値以上の映像コンテンツ再生における同期のずれがあることを検出し、表示操作手段１３０に通知する手段を含み、
表示操作手段１３０において、
環境情報取得手段１２０から所定の値以上の映像コンテンツ再生における同期のずれがあることが通知された場合には、複数のコンピュータ端末同士の同期を合わせるために、再生映像コンテンツの映像再生中の位置を合わせる手段を含む。
【００１５】
また、本発明（請求項６）は、環境情報取得手段１２０において、
各ユーザのコンピュータ端末から、ユーザの通信環境、コンピュータ端末環境や映像コンテンツの再生位置を取得し、環境情報記憶手段１４０に格納し、該ユーザの通信環境、コンピュータ端末環境に大きな変化があり、映像コンテンツの同期のずれが所定の値以上になった場合に、表示操作手段１３０に通知する手段を有し、
表示操作手段１３０は、
環境情報取得手段１２０から、ユーザの通信環境、コンピュータ端末環境に大きな変化があり、映像コンテンツの同期のずれが所定の値以上になったことが通知されると、映像の再生開始時または、再生中において、適切なサイズの映像コンテンツを映像コンテンツ記憶手段１５０から検索し、再生する手段を有する。
【００１６】
本発明（請求項７）は、通信環境やコンピュータ端末環境が変化する状況でのその時々に最適なサイズの映像コンテンツを変更して利用する映像制御プログラムを格納した記憶媒体であって、
請求項１乃至３記載の映像制御方法を実現するための処理をコンピュータに実行させるプログラムを格納した記憶媒体である。
【発明の効果】
【００１７】
上記のように本発明によれば、映像コンテンツの再生中に、ユーザの通信環境やコンピュータ端末環境の使用状況が大きく変化するまでは、サイズの違う映像コンテンツで再生中の位置を合わせて同期をとり、ユーザの通信環境やコンピュータ端末環境の使用状況が大きく変化しても、
１）ユーザ毎の最適なサイズの映像コンテンツに変更し、
２）その都度、サイズの違う映像コンテンツで再生中の位置を合わせて同期をとる、
ことにより、通信環境やコンピュータ端末環境が変化する状況での映像再生の同期が改善できる。また、映像コンテンツの同期のずれをモニタして、再生中の位置を合わせる作業も軽減される。
【発明を実施するための最良の形態】
【００１８】
以下、図面と共に本発明の実施の形態を説明する。
【００１９】
以下の実施の形態の説明では、全図において同一機能を有するものには同一符号を付し、それ以降の説明は省略する。
【００２０】
まず、本発明の概要を説明する。
【００２１】
通信環境やコンピュータ端末環境が変化する状況では、最適な映像コンテンツのサイズも変化が生じる。
【００２２】
そこで、まず、映像の再生開始時に、各ユーザの通信環境やコンピュータ端末環境の使用状況に合わせた最適なサイズの映像コンテンツを利用し、映像サイズの異なる映像コンテンツとも映像再生の同期を合わせる。
【００２３】
次に、通常は、各ユーザの映像コンテンツの同期のずれをモニタしておき、映像コンテンツの同期のずれがある程度以上大きくなるまでは、映像コンテンツはそのままで、映像再生中の位置を合わせる。
【００２４】
また、各ユーザの映像コンテンツの同期のずれをモニタしておき、ユーザの通信環境やコンピュータ端末環境の使用状況の大きな変化に応じて、映像コンテンツの同期のずれがある程度以上大きくなった時に、映像の再生開始時だけではなく、再生中でも、その時々に、最適なサイズの映像コンテンツを選択し直す。さらに、映像再生中の位置に合わせて再生する。
【００２５】
図３は、本発明の一実施の形態における映像制御装置の構成を示す。
【００２６】
同図に示す映像制御装置１００は、ユーザの端末（コンピュータ端末２００）類との間で情報やデータを受け渡しする入出力部１１０、各ユーザの通信環境やコンピュータ端末環境をモニタし、環境情報格納部１４０に格納することで環境情報を管理するコンピュータ端末環境管理部１２０、コンピュータ端末環境管理部１２０から取得した各ユーザの環境に応じて最適な映像コンテンツを検索し、ユーザのコンピュータ端末２００に対して映像コンテンツの表示操作を一括して管理する映像コンテンツ表示操作管理部１３０、コンピュータ端末の環境を格納する環境情報格納部１４０、及び、複数のサイズに変換した映像コンテンツを格納する映像コンテンツ格納部１５０から構成される。
【００２７】
図４は、本発明の一実施の形態における映像制御装置の概要動作のフローチャートである。
【００２８】
以下では、一実施の形態として、コンピュータ端末２００が映像制御装置１００に登録した映像コンテンツを共有し、映像の表示制御を同期する方法やシステムで、通信環境やコンピュータ端末環境が変化する状況でのその時々に最適なサイズの映像コンテンツを変更して利用する例を説明する。
【００２９】
ステップ１１０）  映像コンテンツ格納部１５０は、予め変換した複数のサイズ（ビットレート）の映像コンテンツを格納する。
【００３０】
ステップ１２０）  コンピュータ端末環境管理部４は、入出力部１１０を経由して、各ユーザ毎のコンピュータ端末の通信環境やコンピュータ端末環境に関する情報及び映像コンテンツの再生位置を取得し、環境情報格納部１５０に格納管理し、システムにログインしている各ユーザの通信環境やコンピュータ端末環境を環境情報格納部１５０を参照して環境の変化、同期状態をモニタし、映像コンテンツ表示操作管理部１３０に渡す。このとき、コンピュータ端末環境管理部４は、環境情報格納部１５０に格納されている各コンピュータ端末２００の同期のずれをモニタし、ユーザの通信環境やコンピュータ端末環境の使用状況に大きな変化が生じた場合や、所定の値より同期のずれが大きくなった場合に、映像コンテンツ表示操作管理部１３０に通知する。
【００３１】
ステップ１３０）  映像コンテンツ表示操作管理部１３０は、コンピュータ端末環境管理部１２０から、各ユーザの通信環境やコンピュータ端末環境及び同期のずれに関する情報を受け取り、それらの情報に基づき、映像コンテンツ格納部１５０から、各ユーザの環境に最適なサイズ（ビットレート）の映像コンテンツを検索する。そして、入出力部１１０を経由して、全てのユーザのコンピュータ端末２００に対して、各ユーザの環境に最適なサイズの映像コンテンツの表示操作を一括して管理する。このとき、映像コンテンツ表示操作管理部１３０は、映像コンテンツの再生中に、ユーザの通信環境やコンピュータ端末環境の使用状況が大きく変化するまでは、サイズ（ビットレート）の異なる映像コンテンツについて再生中の位置を合わせて同期をとり、使用状況が大きく変化した場合は、ユーザ毎に最適な映像コンテンツを映像コンテンツ格納部１５０から検索して、再生対象の映像コンテンツを変更する。また、その都度、映像コンテンツの再生中の位置に合わせて再生する。
【００３２】
次に、映像コンテンツ表示操作管理部１３０での、各ユーザの通信環境やコンピュータ端末環境に基づき、各ユーザの環境に最適なサイズの映像コンテンツの表示操作を一括して管理する動作の基本処理のアルゴリズムを説明する。
【００３３】
図５は、本発明の一実施の形態における映像コンテンツ表示操作管理部の動作のフローチャートである。
【００３４】
ステップ１３１）  映像コンテンツ表示操作管理部１３０は、コンピュータ端末環境管理部１２０から、各ユーザの通信環境やコンピュータ端末環境及び、映像コンテンツ再生位置を受け取る。例えば、ユーザＡとユーザＢの端末２００Ａ，２００Ｂがシステムを利用し、映像コンテンツを再生している場合、ユーザＡの端末２００Ａは、Ｃ１ｂｐｓサイズ（ビットレート）の映像コンテンツの最初からＤ１秒の位置を再生し、ユーザＢの端末２００Ｂは、Ｃ２ｂｐｓのサイズ（ビットレート）の映像コンテンツの最初からＤ２秒の位置を再生している、等の情報を受け取る。
【００３５】
ステップ１３２）  各ユーザの通信環境やコンピュータ端末環境に基づき、各ユーザの環境に最適なサイズの映像コンテンツを判定する。例えば、ユーザＡとユーザＢが再生している映像コンテンツの再生中の位置Ｄ１とＤ２がＮ１秒以上ずれている場合（Ｄ１−Ｄ２＞Ｎ１）は、ユーザＢの再生する映像コンテンツをＣ３ｂｐｓのサイズの（ビットレート）の映像コンテンツ（Ｃ２＞Ｃ３）に変更すると判断する。（ただし、Ｃ３の具体的数値は、次のステップで判定する）。
【００３６】
ユーザＡの端末２００ＡとユーザＢの端末２００Ｂが再生している映像コンテンツの再生中の位置Ｄ１とＤ２がＮ１秒以上ずれていない場合は、映像コンテンツのサイズの変更は必要ないと判定する。但し、ユーザＡの端末２００ＡとユーザＢの端末２００Ｂが再生している映像コンテンツの再生中の位置Ｄ１とＤ２がＮ２秒以上ずれている場合（Ｄ１−Ｄ２＞Ｎ２，Ｎ１＞Ｎ２）は、ユーザＢの端末２００Ｂの再生する映像コンテンツの再生中の位置をユーザＡの端末２００Ａと同じ生成中の位置に合わせると判定する。
【００３７】
ステップ１３３）  映像コンテンツ格納部１５０から、各ユーザの環境に最適なサイズの映像コンテンツを検索する。例えば、ユーザＡの端末２００ＡとユーザＢの端末２００Ｂが再生している映像コンテンツの再生中の位置Ｄ１とＤ２がＮ１秒以上ずれている場合（Ｄ１−Ｄ２＞Ｎ１）は、ユーザＡについては、引き続きＣ１ｂｐｓのサイズ（ビットレート）の映像コンテンツでよいが、ユーザＢについては、Ｃ２ｂｐｓのサイズ（ビットレート）の映像コンテンツではなく、現環境では最適と判定したＣ３ｂｐｓサイズ（ビットレート）の映像コンテンツを検索する。
【００３８】
なお、Ｃ３ｂｐｓのサイズ（ビットレート）の映像コンテンツは、映像コンテンツ格納部１５０に格納管理している、複数のサイズ（ビットレート）の映像コンテンツのうち、Ｃ２の次に値が小さなサイズ（ビットレート）となるものである。
【００３９】
ステップ１３４）  全てのユーザの端末２００に対して、各ユーザの環境に最適なサイズの映像コンテンツの表示操作を一括して管理する。
【００４０】
例えば、ユーザＡとユーザＢの端末２００Ａ，２００Ｂが再生している映像コンテンツの再生中の位置Ｄ１とＤ２がＮ１秒以上ずれている場合（Ｄ１−Ｄ２＞Ｎ１）は、ユーザＡの端末２００Ａには、引き続きＣ１ｂｐｓのサイズ（ビットレート）の映像コンテンツを再生させ、ユーザＢの端末２００Ｂには、Ｃ３ｂｐｓのサイズ（ビットレート）の映像コンテンツのユーザＡの端末２００Ａと同じ再生中の位置に合わせて再生させる。
【００４１】
ユーザＡとユーザＢの端末２００Ａ，２００Ｂが再生している映像コンテンツの再生中の位置Ｄ１とＤ２がＮ２秒以上ずれている場合（Ｄ１−Ｄ２＞Ｎ２，Ｎ１＞Ｎ２）は、ユーザＢの端末２００Ｂには、ユーザＡの端末２００Ａと同じ再生中の位置に合わせて再生される。
【００４２】
なお、これらは、任意の時間毎に繰り返し実施する。その時間は、管理者が指定するか、あるいは、システムのデフォルト値を利用する。
【００４３】
なお、Ｎ１，Ｎ２秒については、管理者がシステム／映像コンテンツ毎等に指定するか、あるいは、システムのデフォルト値を利用する。
【００４４】
また、例えば、ユーザが３名以上いる場合でも、同様に、再生中の位置が最も進んでいるユーザと比較して、再生中の位置がＮ１秒以上ずれている場合、再生中の位置の遅れているユーザ端末の再生する映像コンテンツを変更する。また、再生中の位置が最も進んでいるユーザの端末と比較して、再生中の位置がＮ２秒以上ずれている場合、再生中の位置の遅れているユーザの端末の再生中の位置を再生中の位置が最も進んでいるユーザの端末の再生中の位置に合わせて再生する。
【００４５】
さらに、Ｎ１，Ｎ２秒については、１回ではなく、複数回で判定してもよい。例えば、再生中の位置が最も進んでいるユーザの端末と比較して、ある一定時間連続して、再生中の位置がＮ１秒以上ずれている場合、再生中の位置の遅れているユーザの端末の再生する映像コンテンツを変更する。または、再生中の位置が最も進んでいるユーザの端末と比較して、ある一定時間連続して、再生中の位置がＮ２秒以上ずれている場合、再生中の位置の遅れているユーザの端末の再生中の位置を再生中の位置が最も進んでいるユーザの端末の再生中の位置に合わせて再生する。
【００４６】
なお、図３で示した映像制御装置の一部または全部の機能を、情報機器を用いて実現することができること、あるいは、図４、図５で示した処理の段階を情報機器に実行させることは言うまでもなく、情報機器でその各部の機能を実現するためのプログラム、あるいは、情報機器にその処理の段階を実行させるためのプログラムを、その情報機器が読み取り可能な記憶媒体、例えば、フレキシブルディスク、ＭＯ，ＲＯＭ、メモリカード、ＳＤ、ＤＶＤ，リムーバブルディスク等に記録して、保存したり、提供したり、配布したりすることが可能である。
【００４７】
なお、本発明は、上記の実施の形態に限定されることなく、特許請求の範囲内において種々変更・応用が可能である。
【産業上の利用可能性】
【００４８】
本発明は、多地点に分散した複数のユーザのコンピュータ端末間で映像コンテンツを共有する、または、共有して活用する技術に適用可能である。
【図面の簡単な説明】
【００４９】
【図１】本発明の原理を説明するための図である。
【図２】本発明の原理構成図である。
【図３】本発明の一実施の形態における映像制御装置の構成図である。
【図４】本発明の一実施の形態における概要動作のフローチャートである。
【図５】本発明の一実施の形態における映像コンテンツ表示操作管理部の動作のフローチャートである。
【符号の説明】
【００５０】
１００  映像制御装置
１１０  入出力部
１２０  環境情報取得手段、コンピュータ端末環境管理部
１３０  表示操作手段、映像コンテンツ表示操作管理部
１４０  環境情報記憶手段、環境情報格納部
１５０  映像コンテンツ記憶手段、映像コンテンツ格納部
２００  コンピュータ端末
【図１】
2006245805.tif 000003
【図２】
2006245805.tif 000004
【図３】
2006245805.tif 000005
【図４】
2006245805.tif 000006
【図５】
2006245805.tif 000007